(57)【特許請求の範囲】
【請求項１】
ディスプレイ組立体であって、
ディスプレイと、
照明源と、
前記ディスプレイに隣接していて、そこを通して前記ディスプレイを見ることができるウィンドウとを備え、
前記ディスプレイの方を向いている前記ウィンドウの面が、前記照明源からの光を前記ウィンドウを通過させることなく前記ディスプレイの方向に散乱させるための内蔵された拡散格子を備えることを特徴とするディスプレイ組立体。
【請求項２】
ディスプレイ組立体であって、
ディスプレイと、
照明源と、
そこを通して前記ディスプレイを見ることができるウィンドウとを備え、
前記ウィンドウは、前記ディスプレイに隣接して材料層を介在させずに前記ディスプレイとの間にギャップを画定するよう配置された面を有し、
前記ウィンドウの前記面は前記ディスプレイの方を向いており、前記照明源からの光を散乱させるための内蔵された拡散格子を備え、
前記ギャップに光が直接照射されるとき、前記拡散格子は、前記光を前記ウィンドウを通過させることなく前記ディスプレイの方向に散乱させることを特徴とするディスプレイ組立体。
【請求項３】
請求項１または２に記載のディスプレイ組立体において、
前記ディスプレイが、液晶ディスプレイ（ＬＣＤ）であることを特徴とするディスプレイ組立体。
【請求項４】
請求項１乃至３の何れか１項に記載のディスプレイ組立体において、
前記照明源が、前記ディスプレイ・ウィンドウと前記ディスプレイとの間に位置することを特徴とするディスプレイ組立体。
【請求項５】
請求項１乃至４の何れか１項に記載のディスプレイ組立体において、
前記照明源が、１つまたはそれ以上の発光ダイオード（ＬＥＤ）であることを特徴とするディスプレイ組立体。
【請求項６】
請求項１乃至５の何れか１項に記載のディスプレイ組立体において、
前記ＬＣＤが、反射モードで動作することができることを特徴とするディスプレイ組立体。
【請求項７】
請求項１乃至６の何れか１項に記載のディスプレイ組立体において、
前記格子が複数の溝を含むことを特徴とするディスプレイ組立体。
【請求項８】
請求項１乃至７の何れか１項に記載のディスプレイ組立体であって、第１の部分と第２の部分とを備え、
前記ウィンドウは前記第１の部分に具備され、前記照明源は前記第２の部分に具備されることを特徴とするディスプレイ組立体。
【請求項９】
請求項１乃至８の何れか１項に記載のディスプレイ組立体において、
前記内蔵された拡散格子は、散乱する光を非均一かつ対称的に分布させることを特徴とするディスプレイ組立体。
【請求項１０】
請求項１乃至９の何れか１項に記載のディスプレイ組立体であって、追加的な照明源を備え、
前記内蔵された拡散格子は、前記追加的な照明源からの散乱する光を非均一かつ対照的に分布させることを特徴とするディスプレイ組立体。
【請求項１１】
請求項１乃至１０の何れか１項に記載のディスプレイ組立体において、
前記ウィンドウの前記拡散格子は、複数の三角形の突起を含む面の形をしていることを特徴とするディスプレイ組立体。
【請求項１２】
請求項１乃至１１の何れか１項に記載のディスプレイ組立体において、
ユーザの方を向いている前記ウィンドウの別の表面が強化コーティングを備えることを特徴とするディスプレイ組立体。
【請求項１３】
請求項１乃至１２の何れか１項に記載のディスプレイ組立体において、
ユーザの方を向いている前記ウィンドウの別の表面が反射防止コーティングを備えることを特徴とするディスプレイ組立体。
【請求項１４】
請求項１乃至１０の何れか１項に記載のディスプレイ・ウィンドウを備えたディスプレイ組立体であって、ディスプレイおよび照明源を備えることを特徴とするディスプレイ組立体。
【請求項１５】
請求項１乃至１４の何れか１項に記載のディスプレイ組立体を備えた携帯電話において、
前記ウィンドウの面が前記携帯電話の外面を形成することを特徴とする携帯電話。
【請求項１６】
携帯電話機であって、
ハウジングと、
光源と、
ディスプレイとを備え、
前記ハウジングが、第１の面と第２の面とを持つウィンドウを備え、前記第１の面が、前記携帯電話機の外面を形成し、前記ディスプレイの方を向いている前記第２の面が、前記光源からの光を前記ウィンドウを通過させることなく前記ディスプレイに散乱させるための内蔵された拡散格子を備えることを特徴とする携帯電話機。
【請求項１７】
請求項１６記載の携帯電話機において、
前記ハウジングが前記電話機の前部カバーであることを特徴とする携帯電話機。
【請求項１８】
請求項１６または１７に記載の携帯電話機において、
前記ウィンドウが前記ハウジングと一体に形成されていることを特徴とする携帯電話機。
【請求項１９】
ウィンドウを通してディスプレイを見ることができるように、前記ディスプレイと同一平面に設置するための単一のディスプレイ・ウィンドウにおいて、
前記ウィンドウの第１の面は、ユーザの方を向いていて、前記ウィンドウの第２の面がディスプレイに隣接して配置され、前記第２の面が、関連する外部の照明源からの光を前記ウィンドウを通過させることなく前記ディスプレイの方向に散乱させるための内蔵された拡散格子を備えることを特徴とするディスプレイ・ウィンドウ。
【発明の詳細な説明】
【０００１】
【発明の属する技術分野】
本発明は、ディスプレイ・デバイス用の改良形ウィンドウ、および関連するディスプレイ組立体に関する。
本発明はまた、携帯電話、遠隔制御ユニット、ラップトップ・パソコンまたは個人用オーディオ装置のような手のひらサイズまたは携帯用デバイスで、または電子レンジおよび工業用機械のようなもっと大型の固定製品で、ある範囲内で使用することができるディスプレイ組立体に関する。
【０００２】
【従来の技術】
液晶ディスプレイ（ＬＣＤ）は、周知のディスプレイ・デバイスであり、種々様々の日常使用するデバイスで状態情報を表示するために使用される。発光ダイオード（ＬＥＤ）または陰極線管（ＣＲＴ）のようなある種の他のディスプレイ・デバイスとは違って、液晶ディスプレイは、本来光をまったく放射しない。
それ故、ＬＣＤディスプレイは、その上を照らす十分な入射光があるか、デバイスが、それ自身の適当な照明装置を備えている場合だけに使用することができる。
照明の１つの形としては、ある種のタイプのＬＣＤだけに使用することができるバックライト照明である。
【０００３】
【発明が解決しようとする課題】
しかし、そこを通って光が通過するディスプレイを構成している層の数により、バックライト照明では照明がまったく不十分である場合がある。例えば、通常のＬＣＤディスプレイは、少なくとも、ガラスの２つの層、偏光フィルムの２つの層、電極の２つの層、および実際の液晶自身を備える。偏光フィルムは、透過光の５０％以上を吸収する場合がある。全体では、モノクロＬＣＤは、バックライトが放射する光の１０％しか透過することができない。カラーＬＣＤの場合には、事態はさらに悪化し、バックライトからの放射光の５％未満しか透過することができない。
【０００４】
図１は、通常のＬＣＤ１０である。ＬＣＤがいくつかの層からできていることが分かる。一番外側の層、およびディスプレイを見る側面は偏光層１５である。この層のすぐ下には、ガラス層２０が位置する。ガラス２０の表面上には、電極層２５が位置している。一方の電極層２５と他方の電極層３５との間には、液晶材料の層３０が位置する。液晶材料は、シール５０によりガラス層２０および４０の間の正しい位置に保持されている。最後の層は、もう１つの偏光層４５である。
【０００５】
液晶ディスプレイの動作は、当業者にとっては周知のものであるので、これ以上の説明は省略する。
ＬＣＤディスプレイは、３つの基本的なモードがある。すなわち、反射モード、透過モードおよび透過反射モードである。
ＬＣＤの反射モードの場合には、偏光層４５からなる下の層は、ミラーとして有効に動作する。このことは、ディスプレイ１５の前面から入射したすべての光は、再び外側に反射することを意味する。この状態の場合には、ディスプレイの輝度およびコントラストは最高になる。光を透過しない反射層があるために、このようなディスプレイに対してはバックライト照明を行うことができない。
【０００６】
ＬＣＤが透過モードである場合には、偏光層４５は、反射特性を持たない。そのため、任意の情報を表示するＬＣＤディスプレイの場合には、恒久的なバックライトを使用しなければならない。もちろん、このようなバックライトを使用すると、バッテリーを使用する装置の場合かなりの電力を消費するので、携帯電話のようなデバイスには適していない。
【０００７】
透過反射モードの場合には、ＬＣＤは、反射型ディスプレイと透過型ディスプレイとの中間の動作をする。偏光層４５は、光の一部を反射し、光の一部を透過するコーティングで覆われている。周囲の光が十分明るい場合には、このディスプレイは周囲の光だけで見ることができる。しかし、周囲の光が弱い場合には、表示情報を読むことができるようにするために、バックライト照明を使用することができる。
カラーＬＣＤが登場したために、照明の問題は、もっと顕著なものになってきている。図１に示すように、層の間に色付きフィルムが追加されたために、ディスプレイを通過する光がさらに少なくなる。
【０００８】
カラー・ディスプレイの場合には、良好な表示輝度およびコントラストを維持できることが特に望ましい。反射モード・ディスプレイを使用すれば、この表示輝度およびコントラストの維持を最善の方法で行うことができる。しかし、すでに説明したように、このようなディスプレイは、バックライト照明と一緒に使用することができないために、良好な周囲の照明を何時でも利用できない場合、ある製品の用途が制限される。
このようなディスプレイに対しては、追加の前面照明を行うことができるが、そうすると、どんな場合でも、光源により、ディスプレイが暗くならないようにしなければならないというような別の問題が発生する。
【０００９】
従来技術の前面照明は、図２に示すような構造体を含む。図２は、ディスプレイ組立体１００の断面図である。ディスプレイ組立体１００は、下記の部材、すなわち、ディスプレイ・ウィンドウ１３０；光ガイド、または格子１２０；ＬＣＤ部材１１０；光源１４０を有する。
ＬＣＤ部材１１０は、反射モードで動作するもので、シャープ、フィリップスまたはセイコーのような多数のメーカーから入手することができる完全なユニットである。ＬＣＤは、その上に表示することができる情報を制御するためにプロセッサに接続するための電気的接続部を持つ。ＬＣＤ１１０の厚さは、数ミリ程度にすることができる。
【００１０】
ディスプレイ・ウィンドウ１３０とＬＣＤ１１０との間には、光ガイドまたは拡散格子１２０が位置する。光ガイドの厚さは約１ミリである。光ガイド１２０は、光源１４０からの光を分配し、そうすることにより、その前面からディスプレイを照明する機能を持つ。光源１４０としては、ＬＥＤのような任意の便宜の光源を使用することができる。
【００１１】
格子１２０の上に、その外面をユーザの方向に向けてディスプレイ・ウィンドウ１３０が配置されているが、このウィンドウは、ほぼ透明なプラスチックで、その厚さは約１ミリである。その露出している外面を、引っ掻き傷がつかないコーティングおよび／または反射防止コーティングで覆うことができる。
ディスプレイ・ウィンドウの目的は、ＬＣＤ１１０を、ウィンドウを通して見ることができる状態に維持しながら、格子１２０およびＬＣＤ１１０のデリケートな構造を保護することである。
【００１２】
ディスプレイ・ウィンドウ１３０、格子１２０およびＬＣＤ１１０は、短いギャップで相互に分離している。このような分離は、各層の間および各層の周囲に配置されているガスケットにより、０．１〜０．５ミリの間隔で行うことができる。ガスケットは、プラスチックまたはゴム材料で作ることができる。
種々の素子の間の分離は、ディスプレイ組立体が衝撃を受けた場合に、これらの素子をある程度保護するためのものである。ＬＣＤ１１０はガラスでできていて、非常にデリケートなものである。非常にきめ細かい表面を持つ格子１１０は、他の物体と少しでも接触すると、容易に損傷を受ける恐れがある。ディスプレイ・ウィンドウは、ディスプレイの他の部材より上部にできていて、他の部材を不注意による損傷から保護する。
【００１３】
ディスプレイ組立体は多くの層からできているので、種々の層の間で内部反射を起こして、表示の質が劣化する恐れがある。このような表示の質の劣化は、画像のにじみ、コントラストの喪失の形をとる場合がある。種々の層の間の内部反射の問題を最小限度に低減するために、組立体のいくつかの部材、またはすべての部材に反射防止コーティングを行うことができる。このようなコーティングを行うと、ディスプレイ組立体のコストが高くなる。
【００１４】
格子１２０は、プラスチック材料からできていて、その表面上に、いわゆるマイクログルーブのアレーがエッチングにより形成されている。マイクログルーブは、任意の従来の方法で形成することができる。適当な方法としては、酸エッチング、レーザ・エッチング、成形および過度の材料の機械的除去がある。
マイクログルーブの機能は、格子の１つまたはそれ以上の側面に配置されている光源１４０からの光を分配することである。マイクログルーブは、光を下方に向けて約９０度分配し、その結果、光は下に位置するＬＣＤを照射する。光源は、図２に示すように、光ガイド１２０とほぼ同一平面上に位置する。
【００１５】
図３(ａ)および図３(ｂ)は、マイクログルーブの動作を示す。図３(ａ)は、光源および格子の平面図である。図３(ｂ)は、格子１２０、光源１４０およびＬＣＤ１１０の断面図である。光源１４０は、図に示すように、格子の側面から格子１２０の全幅を照射するように配置されている。光源からの光が各マイクログルーブ１２５に当たると、光は光ガイド１２０の本体を通って、ＬＣＤ１１０に向かって下方に反射される。各部材の大きさは、図面を分かりやすくするために、大きく拡大してあり、３本のマイクログルーブの動作だけを示す。マイクログルーブは、実際には、幅が数ミクロンであり、格子のほぼ全長を横切って１つの方向にほぼ平行に延びる。
とりわけ、ディスプレイの大きさおよび光源の光度により、１つ以上の光源を設置することができる。例えば、４×３センチのモノクロ移動電話ディスプレイにおいては、２つの光源を必要とする場合がある。
【００１６】
【課題を解決するための手段】
第１の観点から見た場合、本発明は、ディスプレイ；照明源；およびそこを通してディスプレイを見ることができる、ディスプレイに隣接して位置するウィンドウを備えるディスプレイ組立体を提供する。この場合、ディスプレイの方を向いているウィンドウの表面は、照明源からの光をウィンドウを通過させることなくディスプレイの方向に散乱させるための内蔵された拡散格子を備える。
【００１７】
第２の観点から見た場合、本発明は、ディスプレイ；照明源；およびそこを通してディスプレイを見ることができるウィンドウを備えるディスプレイ組立体を提供する。この場合、ウィンドウはディスプレイに隣接して材料層を介在させずにディスプレイとの間のギャップを画定するように配置された面を有する。このウィンドウの面はディスプレイの方を向いており、照明源からの光を散乱させるための内蔵された拡散格子を備え、ギャップに光が直接照射されるとき、この拡散格子は、光をウィンドウを通過させることなくディスプレイの方向に散乱させる。
【００１８】
第３の観点から見た場合、本発明は、ハウジング；光源；およびディスプレイを備える携帯電話を提供する。この場合、ハウジングは、第１および第２の面を持つウィンドウを備え、また、上記第１の面が携帯電話の外部面を形成し、ディスプレイの方を向いている第２の面は、光源からの光をウィンドウを通過させることなくディスプレイ上に向けるための内蔵された拡散格子を備える。
すでに説明したように、反射型ＬＣＤは、別の構成のＬＣＤと比較した場合、輝度も明るく、コントラストも強いが、バックライト照明をすることができないので、周囲の光が弱い場合には、前面照明を使用する必要がある。
【００１９】
本発明の実施形態を使用すれば、前面照明をもっと容易に行うことができ、そのため、反射モードＬＣＤの利点をもっと容易に実現することができる。反射モードＬＣＤの１つの利点は、現在バックライト・ディスプレイに使用されている、透過反射型ＬＣＤと比較した場合、周囲の光の反射する能力が高いことである。このことは、透過反射モードＬＣＤと比較した場合、反射モードＬＣＤは、もっと弱い周囲の光の中で使用することができるので、照明に使用するバッテリー電力が少なくてすむことを意味する。
【００２０】
ディスプレイ・ウィンドウに格子を内蔵させることにより種々の利点が得られる。ディスプレイ組立体を作る際に必要な部品の数が少なくてすむので、コストが少なくてすむ。より詳細に説明すると、１つの独立している格子と、１つの関連するガスケットが必要なくなる。部材の数が少なくなれば、信頼性が向上し、ディスプレイ組立体を作るために必要な時間が短くてすむことになる。
【００２１】
好適には、ディスプレイ・デバイスは、液晶ディスプレイ（ＬＣＤ）であることが好ましい。しかし、ＺＢＤディスプレイのような他のディスプレイも、本発明の実施形態の利点を享受することができる。
都合のよいことに、任意の適当な形の格子または光ガイドをディスプレイ・ウィンドウに内蔵させることができる。適当な機能を持つ特定の例は、断面内において、例えば、鋸歯パターンのような一連の三角形の投影のように見えるパターンを含む。
【００２２】
特定の製品、具体的にいうと携帯電話の場合には、デバイスの大きさを次第に小さくするためのいくつかの要件がある。ディスプレイ組立体の高さをほんの数ミリ低くしただけでも、かなりの影響があるので、少しでも部材の数を減らせば、小型になって有利である。
本発明をよりよく理解してもらうために、また、その実行方法を理解してもらうために、添付の図面を参照しながら、本発明について以下に説明するが、これは単に例示としてのものに過ぎない。
【００２３】
【発明の実施の形態】
図４は、本発明の実施形態のディスプレイ組立体の断面図である。ＬＣＤ１１０は、反射モードまたは透過反射モードで動作する従来のＬＣＤである。光源１４０は、従来技術のディスプレイで使用されているような１つまたはそれ以上のＬＥＤである。上記ＬＥＤとしては、モノクロ・ディスプレイ用の任意の色のものを使用することができる。カラー・ディスプレイの場合には、好適には、ほぼ白色の光源を使用することが好ましい。
【００２４】
光源１４０は、ディスプレイ・ウィンドウ２００とＬＣＤ１１０との間のほぼ中央に位置していて、これらの部材の間のギャップを照射する。ディスプレイ・ウィンドウとＬＣＤとの間のギャップは、適当なガスケットにより維持される。通常のギャップの幅は、１〜２ミリ程度である。ウィンドウは、通常、ポリカーボネート材料から作られるが、他のプラスチック材料も同様に使用することができる。ウィンドウは、ほぼ透明で、ＬＣＤ上に表示される情報をユーザが見ることができる程度に透明なものである。
【００２５】
従来技術のディスプレイとは異なり、図４の組立体は、個々の光ガイドまたは拡散格子を持たない。その代わりに、格子は、ディスプレイ・ウィンドウ２００に内蔵されている。
格子は、通常の使用の場合にユーザの方を向いている対向側面上で、ディスプレイ・ウィンドウに内蔵される。この方法の場合、光ガイドの構造体の統合性は維持される。何故なら、組み立てられた場合、損傷を受ける恐れのある面は露出されないからである。
【００２６】
ＬＣＤの全体的な方向に、１つまたはそれ以上の個々の光源からの光を散乱することができるのであれば、光ガイドまたは格子の正確な形を変更することができる。光源は、通常、ディスプレイ組立体の周囲に設置され、ウィンドウ２００とＬＣＤ１１０との間のギャップを照射するように配置される。
【００２７】
内蔵光ガイドおよびウィンドウ２００の動作と、図２の独立している従来技術の光ガイド１２０の動作との間の違いは、従来技術の光ガイドの場合には、光は、光ガイド自身の本体を通して下方に分散することである。ウィンドウと光ガイド２００との組合わせの場合には、光は、上記の素子本体内を通らないで、素子２００の面から下方に分散される。
従来技術の光ガイドと比較した場合、現在、光源は光ガイド面の少し下に位置しているので、若干違った構造の格子を必要とする。光源および光ガイドの他の相対的配置に対して、異なる構造の格子を使用することができる。
【００２８】
図５(ａ)の格子は、鋸歯パターンに似ている一連のある角度を持つ突起を備える。各突起は、ほぼ三角形の形をしていて、その一方の辺は鋭角になっていて、他方の辺は鈍角になっている。このパターンの機能は、上記格子の機能とほぼ同じである。しかし、この場合、格子面からの光は、光ガイドの本体を通過しないで、下方に分散する。この分散の様子を、図５(ａ)の点線の光学通路で示す。ＬＥＤ１４０からの光は、鋸歯パターンの鋭角面に当り、ＬＣＤの方向へ下向きに反射され、ＬＣＤを照射する。
【００２９】
図５(ｂ)は、格子の別の形を示す。この実施形態は、図５(ａ)とほぼ同じように、ディスプレイ・ウィンドウの内面から突き出ている一連の三角形の突起を持つ。突起の形を正確に選択することは、設計段階で行うべきことで、ディスプレイ・ウィンドウの動作にとっては重要なことではない。
光源からの光は、三角形の突起の鋭角面に当たると下方に分散する。このような構造になっているために、上方に向けユーザまで届かなければならない、ＬＣＤから反射した光の劣化は最小限度ですむ。
【００３０】
上記格子は、単なる例示としてのものに過ぎず、当業者であれば、ＬＣＤを照射するのに必要な機能を行う他の形の格子に思い付くことができるだろう。
多くの場合、１つ以上の光源を設置することが望ましい。多くの電子手帳またはラップトップ・パソコンの、より大型のディスプレイの場合には、特に光源を複数にすることが好ましい。
【００３１】
このような場合、図６に示すような、ディスプレイ・ウィンドウ４００を使用することができる。この断面図は、照明をＬＣＤの方向に向けるための格子を内蔵している、ディスプレイ・ウィンドウを、ウィンドウ４００の対向面に位置する一組の光源１４０と一緒にどのように使用したらよいのかを示す。
【００３２】
この実施形態の動作の基本的モードは、図５(ａ)の実施形態のところで説明したものと同じであるが、この場合には、格子は、ディスプレイ・ウィンドウ４００の幅を横切って、等間隔に配置されていない。等間隔にではなく、パターンは、ディスプレイ・ウィンドウ４００の中心に沿って延びる線を中心にして、ほぼ対称になっている。このようにして、図６のウィンドウの半分は、それぞれ、１つの照明源を使用する、図５(ａ)のディスプレイ・ウィンドウと同じ方法で動作することができると見なすことができる。
【００３３】
図７は、本発明の他の実施形態を示す。この場合、光を分散させるための格子を内蔵しているディスプレイ・ウィンドウは、携帯電話のハウジング５００の一部として形成される。ユーザは上記ハウジングを取り外すことはできない。何故なら、取り外すと格子が損傷を受ける恐れがあるからである。
ハウジング５００は、成型のような周知の方法で作ることができる。構造体の材料は、成型することができる任意のプラスチック材料である。ハウジング５００は、例えば、キーボードのキー用の位置を示す数個の開口部５２０、イヤホンおよびラウドスピーカを備える。
【００３４】
ディスプレイ・ウィンドウ５１０は、ハウジングと一体に形成されている上記の透明なプラスチックのウィンドウである。ディスプレイ・ウィンドウは、成型プロセスの一部として形成することもできるし、または、別々に作ってハウジングと一体に形成することもできる。後者の場合には、必要に応じて、一体化プロセスの前または後で、格子を製造することができる。
【００３５】
製造された電話機のハウジングは、キーパッドのキーが、開口部５２０を通して突き出るように電話機の本体に取り付けられる。この構成の場合には、ディスプレイ・ウィンドウは、電話機の本体に取り付けられているＬＣＤの上に直接設置される。１つまたはそれ以上のＬＥＤまたは他の適当なデバイスを含むことができる光源は、ＬＣＤに関連する一方で、電話機の本体の一部を形成している。ＬＥＤは、ハウジング５００が取り付けられた場合に、ディスプレイ・ウィンドウとＬＣＤとの間のギャップを照射する位置に設置される。ディスプレイ・ウィンドウ５１０の内面上の格子は、ＬＣＤに直面していて、材料層と干渉を起こさない。図４はその様子を示す。
【００３６】
ネジまたは類似の固定装置で、ハウジング５００が正しい位置に固定されると、格子は安全な位置に設置され、有害物との接触による損傷を受ける恐れがなくなる。
ディスプレイ組立体は、２つの独立部分、すなわち、前部カバー５００と、電話機本体に効果的に分割することができる。これら２つの部分を合体させることにより、ディスプレイ組立体が完成し、全電話機の構造体ができあがる。従来技術による解決方法のように別々のガスケットや光源の追加について頭を悩ます必要はない。
【００３７】
使用中、ディスプレイ・ウィンドウと格子５１０を結合したものは、すでに説明した方法で機能する。
今迄、携帯電話機での使用に関連して本発明を詳細に説明してきたが、本発明は、前部照明ディスプレイ組立体を使用している任意のデバイスにも同じように適用することができる。前部照明用に改造できる他の形のディスプレイとしては、ゼニス社の双安定ディスプレイ（ＺＢＤ）がある。
【００３８】
本発明は、本明細書に記載する任意の新規な機能または機能の組合わせが、特許請求の範囲に記載する本発明に関連していてもいなくても、解決対象の問題のあるもの、またはすべてをある程度解決したかどうかとは無関係に、上記の任意の新規な機能または機能の組合わせを含む。
【図面の簡単な説明】
【図１】従来の液晶ディスプレイの断面図である。
【図２】ＬＣＤの前面照明用の従来技術の装置である。
【図３】ＬＣＤを照明するための従来技術の格子を示す図で、(ａ)はその部分平面図、(ｂ)はその断面図である。
【図４】本発明の実施形態のディスプレイ組立体の断面図である。
【図５】本発明の実施形態である。
【図６】本発明のさらに他の実施形態である。
【図７】本発明の実施形態による携帯電話である。
【符号の説明】
１１０    ＬＣＤ
１４０    光源
２００    ウィンドウ
４００    ウィンドウ
５００    ハウジング
５１０    ディスプレイ・ウィンドウ
５２０    開口部
【図１】
0004047007.tif 000002
【図２】
0004047007.tif 000003
【図３】
0004047007.tif 000004
【図４】
0004047007.tif 000005
【図５】
0004047007.tif 000006
【図６】
0004047007.tif 000007
【図７】
0004047007.tif 000008